(57)【要約】【課題】視認性の低下を抑制しつつ発光部の使用数を低減した冷蔵庫を提供する。【解決手段】天井面と、天井面に略直交する側壁と、を有する貯蔵室と、棚と、複数の発光部が配された実装基板を有する庫内照明装置と、を備え、発光部は、天井面に略平行に配されている冷蔵庫であって、実装基板に配された或る発光部について、発光部より中央側に配されて隣接する発光部までの間隔の方が、発光部より左側及び／又は右側に配されて隣接する発光部までの間隔よりも大きい。【選択図】  図５
2019039623.tif 000002
【特許請求の範囲】
【請求項１】
天井面と、
該天井面に略直交する側壁と、を有する貯蔵室と、
棚と、
複数の発光部が配された実装基板を有する庫内照明装置と、を備え、
前記発光部は、前記天井面に略平行に配されている冷蔵庫であって、
前記実装基板に配された或る発光部について、該発光部より中央側に配されて隣接する前記発光部までの間隔の方が、該発光部より左側及び／又は右側に配されて隣接する前記発光部までの間隔よりも大きいことを特徴とする冷蔵庫。
【請求項２】
前記庫内照明装置は、間隔Ｌ１で並んだ複数の発光部をそれぞれ有する右側グループ及び／又は左側グループと、を有し、
前記右側グループ及び／又は前記左側グループに属する発光部のうち、最も前記実装基板の中央に近い発光部から、該発光部を起点として前記実装基板の中央に向かう方向で隣接する発光部までの間隔Ｌ２又はＬ４は、Ｌ１より大きいことを特徴とする請求項１に記載の冷蔵庫。
【請求項３】
前記右側グループに属する発光部のうち最も中央寄りの発光部から、前記中央グループに属する発光部のうち最も右側の発光までの距離及び／又は前記左側グループに属する発光部のうち最も中央寄りの発光部から、前記中央グループに属する発光部のうち最も左側の発光までの距離をＬ２とし、
前記右側グループより左側、及び／又は前記左側グループより右側に位置し、１つ又は２つ以上の発光部を有する中央グループを有し、
前記中央グループに属する発光部を１つ以上有し、
関係式Ｌ１＜Ｌ２＜２×Ｌ１を満たすことを特徴とする請求項２に記載の冷蔵庫。
【請求項４】
前記右側グループに属する発光部のうち最も中央寄りの発光部から、前記中央グループに属する発光部のうち最も右側の発光までの距離及び／又は前記左側グループに属する発光部のうち最も中央寄りの発光部から、前記中央グループに属する発光部のうち最も左側の発光までの距離をＬ２とし、
前記右側グループより左側、及び／又は前記左側グループより右側に位置し、２つ以上の発光部を有する中央グループを有し、
前記中央グループ内における発光部の間隔をＬ３とすると、
関係式Ｌ１＜Ｌ２＜Ｌ３を満たすことを特徴とする請求項２に記載の冷蔵庫。
【請求項５】
前記左側グループに属する発光部のうち最も中央側の発光部から、前記右側グループに属する発光部のうち最も中央側の発光部までの距離をＬ４とすると、
Ｌ４＜１４０ｍｍを満たすことを特徴とする請求項２に記載の冷蔵庫。
【請求項６】
関係式Ｌ３≧２×Ｌ２、かつＬ２≧２×Ｌ１を満たすことを特徴とする請求項４に記載の冷蔵庫。
【請求項７】
前記右側グループ及び／前記左側グループに属する発光部のうち、最も側壁に近い発光部から前記側壁までの水平距離Ｌが、数１を満たすことを特徴とする請求項１乃至６何れか一項に記載の冷蔵庫。
【数１】
2019039623.tif 000004
但し、前記発光部の照射角をω、前記天井面から前記棚のうち最上段のものまでの鉛直距離をｈとする。
【請求項８】
貯蔵室の側壁に配された発光部と、複数の発光部が配された実装基板を有する庫内照明装置と、を備える冷蔵庫であって、
前記実装基板の中央側に配されている前記発光部の隣接する間隔の方が、前記実装基板の端側に配されている前記発光部の隣接する間隔よりも大きいことを特徴とする冷蔵庫。
【発明の詳細な説明】
【技術分野】
【０００１】
本発明は、冷蔵庫に関する。
【背景技術】
【０００２】
冷蔵庫に設けられた貯蔵空間である冷蔵室は、容積も大きく使用頻度が高いことから、使用者の視認性を向上すべく冷蔵室内全域を明るく照らし出すのが重要である。また、省電力で明るく照らし出すために庫内照明装置として消費電力量の少ない発光ダイオード（Light Emitting Diode、ＬＥＤ）が広く採用されている。
【０００３】
特許文献１は、等間隔に配置されたＬＥＤからなる照明装置を庫内天井面に備えている（段落００２４）。
【先行技術文献】
【特許文献】
【０００４】
【特許文献１】特開２０１１−２７３２４号公報
【発明の概要】
【発明が解決しようとする課題】
【０００５】
多数の発光ダイオードを使用すると製造コスト及び消費電力が増大する。また、発光ダイオードは照射角が広いため、等間隔に配置すると中央に光が集中し易く、必要な明るさを超えて庫内を照らしてしまう。
【０００６】
本発明は、庫内に配置する発光ダイオード数を低減した冷蔵庫を提供することを目的とする。
【課題を解決するための手段】
【０００７】
上記事情に鑑みてなされた第１の本発明は、天井面と、該天井面に略直交する側壁と、を有する貯蔵室と、棚と、複数の発光部が配された実装基板を有する庫内照明装置と、を備え、前記発光部は、前記天井面に略平行に配されている冷蔵庫であって、前記実装基板に配された或る発光部について、該発光部より中央側に配されて隣接する前記発光部までの間隔の方が、該発光部より左側及び／又は右側に配されて隣接する前記発光部までの間隔よりも大きいことを特徴とする。
【０００８】
また、上記事情に鑑みてなされた第２の本発明は、貯蔵室の側壁に配された発光部と、複数の発光部が配された実装基板を有する庫内照明装置と、を備える冷蔵庫であって、前記実装基板の中央側に配されている前記発光部の隣接する間隔の方が、前記実装基板の端側に配されている前記発光部の隣接する間隔よりも大きいことを特徴とする。
【発明の効果】
【０００９】
本発明によれば、庫内に配置する発光ダイオード数を低減した冷蔵庫を提供することができる。
【図面の簡単な説明】
【００１０】
【図１】本発明の実施例１に係る冷蔵庫の正面図である。
【図２】実施例１に係る冷蔵室内の正面図である。
【図３】発光ダイオード１個と庫内棚の最上段及び側壁に着目した図である。
【図４】本発明の実施例１に係る庫内照明装置を構成する実装基板の正面図である。
【図５】本発明の実施例２に係る庫内照明装置を構成する実装基板の正面図である。
【図６】本発明の実施例３に係る庫内照明装置を構成する実装基板の正面図である。
【図７】本発明の実施例４に係る庫内照明装置を構成する実装基板の正面図である。
【発明を実施するための形態】
【００１１】
以下、添付の図面を参照しながら本発明の実施例について説明する。
【実施例１】
【００１２】
図１は、本発明の実施例１に係る冷蔵庫の正面図である。冷蔵庫本体１は、上から冷蔵室、第二の冷凍室、製氷室、冷凍室、野菜室を有している。冷蔵室の前方開口には、左側冷蔵室扉２ａ及び右側冷蔵室扉２ｂを備え、夫々上下のヒンジを介して回転することで冷蔵室を開閉するフレンチドアを構成する。第二の冷凍室、製氷室、冷凍室及び野菜室の夫々の前方開口には、夫々第二の冷凍室扉３、製氷室扉４、冷凍室扉５及び野菜室扉６を備えている。なお、第二の冷凍室扉３、製氷室扉４、冷凍室扉５及び野菜室扉６は、前後に移動する引き出し式の扉である。
【００１３】
図２は、本実施例の冷蔵室内の正面図である。冷蔵室内には、実装基板７及び発光ダイオード８を有する庫内照明装置、天井面９、庫内棚１０が設けられている。
冷蔵室内で上下方向に互いに離間して複数段設置された庫内棚１０は、透明な樹脂材やガラス材で構成されている。これにより、例えば食品が庫内棚１０上に載置されていないときには、庫内照明装置の光を上面から下面方向に透過させることができる。
庫内照明装置は、発光ダイオード８を実装した実装基板７等より構成されている。庫内照明装置は、冷蔵室の天井面９の手前側（冷蔵室扉２ａ，２ｂ側）に、長手方向が左右方向に略一致するように取り付けられている。実装基板７には、発光ダイオード８が複数、長手方向に沿って配されている。
【００１４】
庫内棚１０に載置された食品は、上方から下方に指向性を持って進む発光ダイオード８の光に照らされる。すわなち、発光ダイオード８から照射された光は、その一部が最上部の庫内棚１０の食品を照射して、残りの光はそのまま下方に直進する。そして、上から二段目の庫内棚１０に載置された食品を照射して、さらに残りの光が下方に直進する。三段目以下の庫内棚１０の食品にも同様に光が照射される。
【００１５】
また、庫内照明装置より照射される光は、食品によって完全に遮断されず、食品間を通して、側壁１１のうち、最上段及び／又は二段目以下の棚の高さ位置にも到達する。側壁１１に到達した光は、側壁１１で反射されて二段目以下に設けられた食品を庫内側面側から照らす構成である。
庫内照明装置を構成する発光ダイオード８から出る光は、庫内棚１０最上段を直接照らす。また、庫内棚１０二段目以下に載置された食品は、最上段の庫内棚１０を透過した発光ダイオード８からの光及び上から二段目の庫内棚１０以上の高さの側壁１１で反射された光によって間接的に照らされる。
【００１６】
図３は、本実施例の発光ダイオード８のうちの１つと最上段の庫内棚１０及び側壁１１に着目した図である。発光ダイオード8の照射角をω、側壁１１から発光ダイオード８までの水平距離をＬ、冷蔵庫天井面９から庫内棚１０最上段までの鉛直距離をｈ、発光ダイオード８の照射角以内の光が直接冷蔵庫側壁１１に届く最大高さをＨとする。但し、照射角とは、発光ダイオード８の光が最も強い方向（本実施例では真下方向）において検知される強度の１／２以上となる角度範囲をいい、例えば本実施例では、ω＝１２０°の発光ダイオードを採用することができる。
【００１７】
庫内棚１０最上段の端部や側壁１１にまで発光ダイオード８の照射角ω内の光を届かせるには、ｈ＞Ｈの関係を成り立たせれば良い。この関係から発光ダイオード８の冷蔵庫側壁１１からの距離Ｌは条件式（１）を満たすべきである。
【００１８】
【数１】
2019039623.tif 000003
【００１９】
ｈを２１０ｍｍ、ωを１２０°とすると、発光ダイオード８の冷蔵庫側壁１１からの距離Ｌは３６３ｍｍ以内とすべきである。また、ｈが１３０ｍｍの場合、Ｌは２２５ｍｍ以内が好適である。通常、冷蔵庫においてはｈ≦２１０ｍｍであるから、Ｌ＜３６３ｍｍが好ましく、Ｌ＜２２５ｍｍがさらに好ましい。これより、最上段の庫内棚１０の範囲が最大の場合でもその全域に光を届けたり、上から二段目の庫内棚１０よりも上側の側壁１１を照射することで上から二段目の庫内棚１０の側壁１１寄りの位置も明るくするためには、実装基板７のうち両端の発光ダイオード８が式（１）を満たすように構成することが好ましい。このことにより、庫内棚１０最上段の両端に配置された食品にも光が当たり、視認性を高めることができる。
【００２０】
図４は本実施例に係る庫内照明装置を構成する実装基板７の正面図である。実装基板７の長手方向（天井面９に取付けられたときは左右方向に略一致する）には、複数の発光ダイオード８が配置されており、これらは２つ又は３つのグループに分類される。本実施例では、各発光ダイオード８は、天井面９に取付けられたときに右側に位置することになる右側グループ８１、左側に位置することになる左側グループ８２、及び右側グループおよび左側グループの間に位置することになる中央グループ８３のいずれかに属する。右側グループ８１又は左側グループ８２に属する発光ダイオード８の個数は１つ又は２つ以上であり、中央グループ８３に属する発光ダイオード８の個数は０、１又は２つ以上である。
【００２１】
右側グループ８１及び左側グループ８２に属する発光ダイオード８は、それぞれ同じグループにおいて隣接する発光ダイオード8との距離がＬ１である。本実施例と異なり、右側グループ８１内において同じグループに属しかつ隣接する発光ダイオード８までの距離と、左側グループ８２内において同じグループに属しかつ隣接する発光ダイオード８までの距離とを異ならせても良い。Ｌ１は、例えば３０ｍｍ以下にすることができる。
【００２２】
右側グループ８１に属する発光ダイオード８のうち最も左側の発光ダイオード８から、中央グループ８３に属する発光ダイオード８のうち最も右側に位置する発光ダイオード８までの距離はＬ２である。また、左側グループ８２に属する発光ダイオード８のうち最も右側の発光ダイオード８から、中央グループ８３に属する発光ダイオード８のうち最も左側に位置する発光ダイオード８までの距離はＬ２である。本実施例と異なり、これらの距離を互いに異ならせても良い。Ｌ２は、例えばＬ１の１．３倍〜２．５倍にすることができる。
中央グループ８３に属する発光ダイオード８が０個の場合、右側グループ８１に属する発光ダイオード８のうち最も左側の発光ダイオード８から左側グループ８２に属する発光ダイオード８のうち最も右側の発光ダイオード８までの距離をＬ４とする。
【００２３】
中央グループ８３に属する発光ダイオードは、同じグループにおいて隣接する発光ダイオード８との距離がＬ３である。
【００２４】
実装基板７中央側は、左右両側に発光ダイオード８が比較的多数位置するため、光が集中しやすい一方、実装基板の左右端部側は、左右どちらか一方にしか発光ダイオード8が多く位置しないため、光が弱くなりやすい。このため、実装基板７の中央側では、発光ダイオード８の密度を比較的低くすることで、照度を均一化できるとともに必要以上に明るくする構成になることを抑制できる。つまり本実施例では、関係式Ｌ２>Ｌ１が成立するようにしており、好ましくはＬ２≧２×Ｌ１としている。このように、発光ダイオード８を均一な間隔で配置するよりも、中央側の密度が左右側（左側及び右側のうちの一方側、好ましくは両側）の密度よりも低くなるようにすることができる。これにより、視認性の悪化を抑制しつつ発光ダイオードの使用数を低減できる。
【実施例２】
【００２５】
本実施例の構成は、次の点を除き実施例１と同様にできる。図５は本発明の実施例２に係る庫内照明装置を構成する実装基板７の正面図である。庫内棚上に収納食品が置かれる場合、庫内棚１０を透過する光量が減少するので、側壁１１での反射が二段目以下の庫内棚１０を照らすために重要となる。よって、発光ダイオード８の距離についてＬ３＞Ｌ２＞Ｌ１にする。これにより、最も左右端部側の領域の間隔がＬ１と小さくなり、中央に向かうにつれて距離が大きくなる構成になる。このとき、左右側グループ８１，８２に属する発光ダイオードの個数は、中央グループ８３に属する発光ダイオード数と同一またはそれよりも多くすることができる。
したがって、側壁１１を照らして二段目以下の庫内棚１０へも光を効果的に供給しつつ、発光ダイオードの使用数を低減できる。
【実施例３】
【００２６】
本実施例の構成は、次の点を除き実施例１と同様にできる。図６は本発明の実施例３に係る庫内照明装置を構成する発光基板７の正面図である。本実施例では、中央グループ８３に属する発光ダイオード８を０個にしている。実施例１の発光ダイオード８を使用する場合、Ｌ４＜１４０ｍｍとすると明るさの確保の点から好ましい。
【実施例４】
【００２７】
本実施例の構成は、次の点を除き実施例１と同様にできる。図７は本発明の実施例４に係る庫内照明装置を構成する発光基板７の正面図である。庫内棚１０最上段の中央側の視認性も考慮すると、発光ダイオード８間は、Ｌ３≧２×Ｌ２、かつＬ２≧２×Ｌ１とするのが好ましい。このとき、左右側グループ８１，８２に属する発光ダイオードの個数は、中央グループ８３に属する発光ダイオード数と同一またはそれよりも多くすることができる。本時指令では、実装基板７の左右両端に２個ずつ計４個配置した発光ダイオード８にて庫内棚１０最上段の両端まで照らし、また側壁１１で光を反射させ間接的に庫内棚１０二段目以下を照らす。中央グループ８３の２つの発光ダイオード８によって庫内棚１０最上段の中央及び庫内棚１０を透過する光で庫内棚１０二段目以下を照らす。
【００２８】
以上のように構成された冷蔵庫であると庫内棚１０最上段は幅方向の両側端まで直接均一に照らし、庫内棚１０の二段目以下は庫内棚１０を透過した光及び側壁１１での反射の光で照らすことができ、庫内棚１０上の照度を均等化し視認性をできる限り低下させずに発光ダイオード８の使用数を低減できる。また、実装基板７が取り付けられる面は、天井面に限られず側面でもよい。この場合でも、各実施例の構成によって、視認性の低下を抑制しつつ発光ダイオードの使用数を低減できる。
【符号の説明】
【００２９】
１ 冷蔵庫本体
２ａ 左側冷蔵室扉
２ｂ 右側冷蔵室扉
７ 実装基板
８ 発光ダイオード（発光部）
９ 天井面
１０ 庫内棚
１１ 側壁
【図１】
2019039623.tif 000005
【図２】
2019039623.tif 000006
【図３】
2019039623.tif 000007
【図４】
2019039623.tif 000008
【図５】
2019039623.tif 000009
【図６】
2019039623.tif 000010
【図７】
2019039623.tif 000011